(57)【要約】【課題】  大きい荷重と小さい荷重が混在する場合でも有効に体圧を分散させることのできるマットレスを提供する。【解決手段】  ウレタンフォーム製のマットレス芯材２の表面側に、彫りの深い複数条の凹条溝５と凸条６を所定間隔置きに交互に形成し、凸条６の断面形状として、基端側の付根部分に幅狭なくびれ部７を形成するとともに、このくびれ部７より先端側に、両横に張り出す幅広部８を形成し、また、凸条６の頂面の略中央部に、凹条溝５より浅い略Ｖ字型の溝９を形成する。また、このマットレス芯材２の上部にウレタンフォーム製の表面材３を積層する。【選択図】      図３
2005102890.tif 000002
【特許請求の範囲】
【請求項１】
表面側に彫りの深い複数条の凹条溝と凸条が所定間隔置きに交互に形成されるウレタンフォーム製のマットレス芯材であって、前記凸条は、基端側の付根部分に幅狭なくびれ部が形成されるとともに、このくびれ部より先端側に、両横に張り出す幅広部が形成され、また、凸条の頂面の略中央部には、凹条溝よりも浅い溝が形成され、該凹条溝より浅い溝は、溝の頂面側よりも溝の底面側の方が幅狭に形成されていることを特徴とするマットレス芯材。
【請求項２】
前記マットレス芯材の表面が、少なくとも三つの領域に分けられており、隣り合う二つの領域内の凸条の頂面の幅が異なることを特徴とする請求項１に記載のマットレス芯材。
【請求項３】
マットレス芯材の表面側に、ウレタンフォーム製の表面材が配設されることを特徴とする請求項１又は請求項２に記載のマットレス芯材を用いたマットレス。
【発明の詳細な説明】
【技術分野】
【０００１】
本発明は、大きい荷重に対しても小さい荷重に対しても体圧分散効果を得ることのできるマットレス芯材及びマットレスに関する。
【背景技術】
【０００２】
従来、仰臥姿勢等において身体各部の重さの違いに応じて体圧をバランスよく分散し、しかも、表面と裏面から汗等の水分の蒸発を促進するようなマットレスとして、例えば、マットレス芯材の表面側と裏面側に、一側方向に屈曲しながら延びる複数の帯状畝部を設け、隣接する帯状畝部同士によって亀甲形模様や菱形模様を形成するとともに、隣り合う畝部と畝部の間に形成される溝部、及び畝部上面に突起や平面部を設け、また、表裏の溝部の交差点に表裏両面を結ぶ透孔を設けるような技術（例えば、特許文献１参照。）等が知られており、また、マットレスのクッション材内及びクッション材の裏面部の熱や湿気の発散を良好にするため、クッション材の表裏面に縦溝と横溝を形成し、縦溝と横溝の交点に、厚み方向に貫通する貫通孔を形成するような技術（例えば、特許文献２参照。）等が知られている。
【０００３】
【特許文献１】実開平７−３９６２０号公報
【特許文献２】特開２００１−２０４５９０号公報
【発明の開示】
【発明が解決しようとする課題】
【０００４】
ところで、上記技術のようなマットレス表面の溝や突起は、熱や湿気の発散等には有効であるものの、荷重に対しては一定の割合で縦方向に圧縮されるだけであるため、例えば大きい荷重に対して体圧分散性が図られている硬いマットレスの場合には、小さい荷重に対しては硬すぎて体圧分散性が不充分となり、小さい荷重に対して体圧分散性が図られている柔らかいマットレスの場合には、大きい荷重に対して底付き状態になったり、体圧分散効果が得られない等の問題があった。
このため、例えば人体の荷重が大きい腰部付近の落ち込みや底付きをなくすように腰部付近に硬いフォーム材を使用したマットレスの場合には、例えば腰部付近に位置する腕等に対しては硬すぎて体圧分散効果が得られにくい等の問題があった。
【０００５】
そこで本発明は、大きい荷重と小さい荷重が混在する領域においても、それぞれについて体圧分散性が得られるマットレスを提供することを目的とする。
【課題を解決するための手段】
【０００６】
上記目的を達成するため本発明は、表面側に彫りの深い複数条の凹条溝と凸条が所定間隔置きに交互に形成されるウレタンフォーム製のマットレス芯材において、前記凸条の基端側の付根部分に幅狭なくびれ部を形成するとともに、このくびれ部より先端側に、両横に張り出す幅広部を形成し、また、凸条の頂面の略中央部に、凹条溝より浅い溝を形成し、該凹条溝より浅い溝として、溝の頂面側より溝の底面側の方が幅狭になるようにした。
【０００７】
このように、凸条の頂面の略中央部に凹条溝より浅い溝を形成し、この凹条溝より浅い溝として、溝の頂面側より溝の底面側の方が幅狭になるようにすることで、凸条の先端部には、溝を挟んで左右に二つの小さな山部が形成されることになり、また、基端側のくびれ部の上方部には、両横に張り出す幅広部が形成されているため、例えば腕や背中の一部等の小さい荷重がかかったときには、凸条先端の山部が横に開くような状態で支持するようになり、小さい荷重でも体圧分散効果が得られるとともに、腰や胸部等の大きい荷重がかかった場合には、凸条を含むマットレス芯材自体が縦に潰れる状態で支持するようになり、この場合も体圧分散効果が得られる。
すなわち、小さい荷重と大きい荷重が混在する領域でも体圧を有効に分散させることができる。
【０００８】
ここで、凹条溝５と凸条６の延出方向は任意であるが、マットレスの長手方向に延出させると、例えば寝返りをうったときなどのクッション作用により通気性の確保や湿気の排出作用等が促進されるようになり、また、幅方向に延出させると、例えば、荷重の大きい腰部等の領域と荷重の小さい頭部等の領域に分けて凸条の幅を適切に変化させることができるようになる。
この際、長手方向と幅方向の両方に設けるようにしてもよい。
尚、マットレス芯材のウレタンフォームの硬さも任意であるが、底付き状態を防止するため、やや硬めのフォーム材が好ましい。
【０００９】
また本発明では、前記マットレス芯材の表面を、少なくとも三つの領域に分けるようにし、隣り合う二つの領域内の凸条の頂面の幅を異ならせるようにした。
ここで、少なくとも三つの領域に分ける際、長手方向に沿って分けても良く、幅方向に沿って分けて良いが、長手方向に沿って分けることにより、例えば、荷重の大きい腰部や胸部等の領域の凸条の幅を大きくし、比較的荷重の小さい頭部や脚部等の領域の凸条の幅を小さくする等のことが可能となり、身体全体の体圧分散効果を高めることができる。
【００１０】
また本発明では、マットレスとして、前記マットレス芯材の表面に、ウレタンフォーム製の表面材を配設するようにした。
このように芯材の表面に表面材を配設すれば、例えば芯材に硬い素材を使用しても肌触り性や感触性等を良好にすることができる。また、表面材として、例えば頭部、腰部、脚部に分けて硬さの異なるフォーム材を使用すれば、荷重の大きい腰部分等の沈み込みを防止して寝姿勢を良好にすることができる。
この際、芯材と表面材を接着等で一体化してもよく、重ねるだけにしてもよい。
【００１１】
尚、表面材を形成するウレタンフォームとしては、一般的に言われるソフトフォームや低反発フォームが好ましい。ここでいうソフトフォームとは、一般にソフトフォームと呼ばれるウレタンフォームであり、具体的には、硬さが９０Ｎ以下であり、且つ密度が２３ｋｇ／ｍ３程度のウレタンフォームである。また、低反発フォームとは、反発弾性率が２０％以下のウレタンフォームである。
【発明の効果】
【００１２】
彫りの深い複数条の凹条溝と凸条が所定間隔置きに交互に形成されるウレタンフォーム製のマットレス芯材の凸条の基端側の付根部分に幅狭なくびれ部を形成し、それより先端側に、両横に張り出す幅広部を形成するとともに、凸条の頂面の略中央部に、彫りの浅い略Ｖ字型の溝を形成することで、小さい荷重と大きい荷重が混在する場合、例えば荷重の大きい腰部と荷重の小さい腕部の両方を支持する領域でも、腰部と腕部の両方において、体圧分散効果が得られる。
また、マットレス芯材の表面を、少なくとも三つの領域に分け、隣り合う二つの領域内の凸条の頂面の幅を異ならせるようにすれば、例えば、荷重の大きい腰部や胸部等の領域の凸条の幅を大きくし、比較的荷重の小さい頭部や脚部等の領域の凸条の幅を小さくする等のことが可能となり、身体全体の体圧分散効果を高めることができる。
また、マットレス芯材の表面に、ウレタンフォーム製の表面材を配設すれば肌触り性や感触性等を良好にすることができ、また、部位によって硬さの異なる表面材を使用する等によって、荷重の大きい腰部付近等の沈み込みを防止して寝姿勢を良好にできる。
【発明を実施するための最良の形態】
【００１３】
本発明の実施の形態について添付した図面に基づき説明する。
ここで図１は本発明に係るマットレス全体の説明図、図２は図１のマットレスからカバーを外した状態の分解斜視図、図３はマットレス芯材と表面の凹凸形状の説明図、図４はマットレス芯材に荷重がかかった場合の説明図、図５は体圧測定の結果を示す測定結果図、図６はマットレス芯材の別構成例図、図７はマットレス芯材の更に別の構成例図である。
【００１４】
本発明に係るマットレスは、コスト的に高い低反発フォーム等を使用することなく、大きい荷重にも小さい荷重にも体圧を有効に分散させることのできるマットレスを提供できるようにされ、特にマットレス芯材の表面の凹凸形状に特徴を有している。
【００１５】
すなわち、本マットレス１は、図１、図２に示すように、ウレタンフォーム製のマットレス芯材２の上部にウレタンフォーム製の表面材３が積層されたものをウレタンキルト製のカバー４で覆うようにしており、マットレス芯材２の上面には、長手方向に沿って彫りの深い凹条溝５と、凸条６が所定間隔置きに複数条設けられている。
【００１６】
そこで、マットレス芯材２の細部について、図３に基づき説明する。
マットレス芯材２は、例えばＪＩＳ  Ｋ  ６４０１に準拠した方法で測定した硬さが１２０〜１６０Ｎ程度で、厚み６０〜９０ｍｍ程度の比較的硬めのウレタンフォーム（特にリボンデッドフォーム）が好適である。ここで、ＪＩＳ  Ｋ  ６４０１に準拠した硬さとは、５Ｎ荷重時の厚みを元厚として、７５％圧縮後、再度元厚の２５％まで圧縮し、２０秒後の荷重を測定したものである。
【００１７】
そして、マットレス芯材２の表面の凹条溝５と凸条６は、図３（ｂ）に示すように、幅方向に沿って交互に形成されており、凸条６の断面形状は、基端側の付根部分に幅ａが狭いくびれ部７を有するとともに、このくびれ部７より先端側に、両横に張り出して幅ｂが広い幅広部８が形成されている。
また、凸条６の頂面の略中央部には、凹条溝５に較べて彫りが浅く且つ頂面側より底面側の溝幅の方が幅狭な略Ｖ字型溝９が形成され、この略Ｖ字型溝９も長手方向に沿って形成されている。このため、凸条６の上部には、略Ｖ字型溝９を挟んで両側に小さな山部ｙが形成されることになり、また、凹条溝５の断面形状は、溝の奥の溝幅が広く、出口側の溝幅が狭くされることになる。
【００１８】
以上のようなマットレス芯材２の表面の凹凸形状の作用等について、図４に基づき説明すると、まず、上方から小さい荷重がかかると、（ｂ）に示すように二つの山部ｙが左右に開くように変形し、これによって荷重を支えるようになる。このため、例えば腕や背中の一部等の比較的軽い荷重の場合でも有効に体圧を分散させることができる。
【００１９】
次に、大きい荷重がかかると、（ｃ）に示すように、凸条６を含めてマットレス芯材２全体が縦方向に変形し、荷重を支えるようになる。このため、例えば腰や胸部等の比較的大きい荷重の場合でも有効に体圧を分散させることができる。
【００２０】
因みに、このような作用は、凸条６と凹条溝５の形状によって得られる作用であり、例えばストレート状のパルス型の凸条と凹条溝の場合では、単に、縦方向に変形するだけで、硬いフォーム材の場合は、小さい荷重に対して有効な体圧分散効果を得ることはできない。
【００２１】
尚、本実施例のマットレス１は、マットレス芯材２の上部に表面材３を積層するようにしているが、この表面材３は、例えば硬さ５０〜１２０Ｎ程度で、厚み３０〜６０ｍｍ程度の一般のウレタンフォーム等を使用することができる。
また、表面材３のウレタンフォームとして、頭部、腰部、脚部に三分割し、硬さの異なるフォーム材を使用するようにしても良く、また、一般のウレタンフォームの代わりに、低反発ウレタンフォームを使用するようにしても良い。
【００２２】
そして、表面材３を使用することにより、例えば硬いマットレス芯材２を使用した場合でも肌触り性や感触性を良好にすることができ、また、人体の荷重に合わせて、部位によって硬さの異なるフォーム材を使用するようにすれば、荷重の大きい部分の沈み込みが防止されて寝姿勢を良好にできる。
また、表面材３を積層した際、マットレス芯材２表面の凹条溝５により、通気性の確保や湿気の排出等が図られる。
【００２３】
次に、本マットレス１を使用した体圧測定結果について説明する。
マットレス芯材２として、ウレタンフォームの端材を一定寸法に粉砕したものを接着剤等で一体化した硬さが１４０Ｎ、厚み６０ｍｍ程度のものを使用し、その表面に、凹条溝５と凸条６を長手方向に複数条形成するとともに、その上に、硬さ５０Ｎ、厚み６０ｍｍ程度の表面材３を積層したマットレス１を使用して体圧分散測定を行った。
この結果、図５に示すように、腕や腕の付根部分のように荷重が小さい箇所の体圧の最大部分は１５ｍｍＨｇと、従来に較べて軽減されていることが判明した。因みに、従来のマットレスの場合は、腕や肩部分の最大が４０ｍｍＨｇ程度である。
この結果、本発明の有効性が確認された。
【００２４】
次に、マットレス芯材２の他の構成例図について、図６に基づき説明する。
この構成例は、凹条溝５と凸条６をマットレス芯材２の幅方向に形成し、また、マットレス芯材２の表面を長手方向に沿って頭部領域Ｐ、胸部領域Ｑ、腰部領域Ｒ、脚部領域Ｓの四つの領域に区分するとともに、各領域Ｐ、Ｑ、Ｒ、Ｓの凸条６の幅を異ならせたものである。そして本実施例では、長さ１９５０ｍｍ、幅９７０ｍｍのマットレス芯材２において、長さ３８０ｍｍ範囲の頭部領域Ｐの凸条６の幅（図３（ｂ）の幅ｂ）を１５ｍｍ程度とし、長さ４００ｍｍ範囲の胸部領域Ｑの凸条６の幅を６０ｍｍ程度とし、長さ６１０ｍｍ範囲の腰部領域Ｒの凸条６の幅を８０ｍｍ程度とし、長さ５６０ｍｍ範囲の脚部領域Ｓの凸条６の幅を３０ｍ程度にするとともに、マットレス芯材２を長手方向に沿って３分割し、折り畳み可能にしている。
この場合は、荷重の大きい腰部領域Ｒや胸部領域Ｑの凸条６の幅が広く、比較的荷重の小さい頭部領域Ｐや脚部領域Ｓの凸条６の幅が狭いため、身体全体の体圧分散効果を高めることができる。
【００２５】
ところで、以上の実施例では、マットレス芯材２表面の凹条溝５と凸条６をマットレス１の長手方向または幅方向だけに形成しているが、図７に示すように、長手方向と幅方向の両方に設けるようにしても良い。この場合も同様な効果を得ることができる。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
例えば凸条６の頂部の両側コーナ部を必ずしもアール形状にする必要はなく、また、マットレス芯材２の表面領域の区分けは、四つの領域に限られるものではない。
【産業上の利用可能性】
【００２７】
マットレス芯材の表面側に、彫りの深い複数条の凹条溝と凸条を所定間隔置きに交互に形成し、凸条の基端側の付根部分に幅狭なくびれ部を形成するとともに、このくびれ部より先端側に、両横に張り出す幅広部を形成し、また、凸条の頂面の略中央部に、凹条溝より浅い溝を形成し、この浅い溝は、溝の頂面側より底面側の溝幅の方が幅狭になるようにすることで、大きい荷重と小さい荷重が混在する領域でも体圧を有効に分散させることができる。また、マットレス芯材の表面を少なくとも三つの領域に分け、隣り合う領域の凸条の幅を異ならせれば、身体全体の体圧分散効果を高めることができる。また、その上にウレタンフォーム製の表面材を積層することで、マットレス芯材に硬いフォーム材を使用した場合でも、肌触り性や感触性等を良好にできるとともに、部位によって硬さを変えれば、荷重の大きい部分の沈み込みが防止されて寝姿勢を良好にできる。
【図面の簡単な説明】
【００２８】
【図１】マットレス全体の説明図
【図２】図１のマットレスからカバーを外した状態の説明図
【図３】マットレス芯材と表面の凹凸形状の説明図
【図４】マットレス芯材に荷重がかかった場合の説明図
【図５】本マットレスの体圧測定の結果を示す測定結果図
【図６】マットレス芯材の別構成例図
【図７】マットレス芯材の更に別の構成例図
【符号の説明】
【００２９】
１…マットレス、２…マットレス芯材、３…表面材、５…凹条溝、６…凸条、７…くびれ部、８…幅広部、９…略Ｖ字型溝。．
【図１】
2005102890.tif 000003
【図２】
2005102890.tif 000004
【図３】
2005102890.tif 000005
【図４】
2005102890.tif 000006
【図５】
2005102890.tif 000007
【図６】
2005102890.tif 000008
【図７】
2005102890.tif 000009